(57)【特許請求の範囲】
【請求項１】
通信装置のディスプレイのために適用される色制御方法であって、
周辺光の色温度情報を得るステップと、
周辺光の輝度情報を得るステップと、
前記色温度情報および前記輝度情報に基づいて適切な色パラメータを計算するステップと、
前記適切な色パラメータに従って前記通信装置のディスプレイを調整するステップと
を含む色制御方法。
【請求項２】
周辺光の色温度情報を得る前記ステップが、詳細には、
前記通信装置のカメラによって周辺光の前記色温度情報を得るステップ
である、請求項１に記載の色制御方法。
【請求項３】
周辺光の色温度情報を得る前記ステップが、詳細には、
前記カメラのAWB(自動ホワイトバランス)機能によって周辺光の前記色温度情報を得るステップ
である、請求項２に記載の色制御方法。
【請求項４】
周辺光の色温度情報を得る前記ステップが、詳細には、
前記カメラのISP(画像信号プロセッサ)によって周辺光の前記色温度情報を得るステップ
である、請求項２または３に記載の色制御方法。
【請求項５】
前記色温度情報および前記輝度情報に基づいて適切な色パラメータを計算する前記ステップが、詳細には、
前記色温度情報および前記輝度情報に従って定義済みの表を探索することによって前記適切な色パラメータを決定するステップであって、前記定義済みの表が色温度情報および輝度情報を対応する色パラメータにマッピングするように構成されるステップ
を含む、請求項１から４のいずれか一項に記載の色制御方法。
【請求項６】
前記色制御方法が、
前記輝度情報に基づいて適切な輝度パラメータを計算するステップ
をさらに含み、
前記適切な色パラメータに従って前記通信装置のディスプレイを調整する前記ステップが、詳細には、前記適切な色パラメータおよび前記適切な輝度パラメータに従って前記通信装置のディスプレイを調整するステップを含む、
請求項１から５のいずれか一項に記載の色制御方法。
【請求項７】
前記色制御方法が、
前記色温度情報および前記輝度情報に基づいて適切な輝度パラメータを計算するステップ
をさらに含み、
前記適切な色パラメータに従って前記通信装置のディスプレイを調整する前記ステップが、詳細には、前記適切な色パラメータおよび前記適切な輝度パラメータに従って前記通信装置のディスプレイを調整するステップを含む、
請求項１から５のいずれか一項に記載の色制御方法。
【請求項８】
前記色温度情報および前記輝度情報に基づいて適切な色パラメータを計算する前記ステップが、
前記周辺光の色温度が第１の温度である場合、前記周辺光の異なる輝度に対して異なる色パラメータを決定するステップと、前記周辺光の色温度が前記第１の温度より低い第２の温度である場合、前記周辺光の異なる輝度に対して同じ色パラメータを決定するステップとを含む、
請求項１から７のいずれか一項に記載の色制御方法。
【請求項９】
周辺光の輝度情報を得る前記ステップが、詳細には、
前記通信装置の周辺光センサによって周辺光の前記輝度情報を得るステップ
である、請求項１から８のいずれか一項に記載の色制御方法。
【請求項１０】
周辺光の輝度情報を得る前記ステップが、詳細には、
前記通信装置のカメラによって周辺光の前記輝度情報を得るステップ
である、請求項1から8のいずれか一項に記載の色制御方法。
【請求項１１】
周辺光の輝度情報を得る前記ステップが、詳細には、
前記カメラのAE(自動露出)機能によって周辺光の前記輝度情報を得るステップ
である、請求項１０に記載の色制御方法。
【請求項１２】
周辺光の輝度情報を得る前記ステップが、詳細には、
前記カメラのISP(画像信号プロセッサ)によって周辺光の前記輝度情報を得るステップ
である、請求項１０に記載の色制御方法。
【請求項１３】
通信装置であって、
周辺光の色温度情報を得るように構成された第1の獲得デバイスと、
周辺光の輝度情報を得るように構成された第2の獲得デバイスと、
前記色温度情報および前記輝度情報に基づいて適切な色パラメータを計算するように構成されたプロセッサと、
前記適切な色パラメータに従って前記通信装置のディスプレイを調整するように構成されたディスプレイデバイスと
を備える通信装置。
【請求項１４】
前記第1の獲得デバイスがカメラである、請求項１３に記載の通信装置。
【請求項１５】
前記カメラが前記カメラのAWB(自動ホワイトバランス)機能によって色温度情報を得るように構成される、請求項１４に記載の通信装置。
【請求項１６】
前記カメラが前記カメラのISP(画像信号プロセッサ)によって色温度情報を得るように構成される、請求項１４に記載の通信装置。
【請求項１７】
前記通信装置が、
定義済みの表を記憶するように構成されたメモリであって、前記定義済みの表が、色温度情報および輝度情報を対応する色パラメータにマップするように構成されるメモリ
をさらに備え、
前記プロセッサが、詳細には、前記色温度情報および前記輝度情報に従って前記定義済みの表を探索することによって前記適切な色パラメータを決定するように構成される、
請求項１３から１６のいずれか一項に記載の通信装置。
【請求項１８】
前記プロセッサが、前記輝度情報に基づいて適切な輝度パラメータを計算するようにさらに構成され、前記ディスプレイデバイスが、前記適切な色パラメータおよび前記適切な輝度パラメータに従って前記通信装置のディスプレイを調整するようにさらに構成される、
請求項１３から１７のいずれか一項に記載の通信装置。
【請求項１９】
前記プロセッサが、前記色温度情報および前記輝度情報に基づいて適切な輝度パラメータを計算するようにさらに構成され、前記ディスプレイデバイスが、前記適切な色パラメータおよび前記適切な輝度パラメータに従って前記通信装置のディスプレイを調整するようにさらに構成される、
請求項１３から１７のいずれか一項に記載の通信装置。
【請求項２０】
前記プロセッサが、前記周辺光の色温度が第１の温度である場合、前記周辺光の異なる輝度に対して異なる色パラメータを決定し、前記周辺光の色温度が前記第１の温度より低い第２の温度である場合、前記周辺光の異なる輝度に対して同じ色パラメータを決定するよう構成される、
請求項１３から１９のいずれか一項に記載の通信装置。
【請求項２１】
コンピュータ可読プログラムであって、通信装置内で前記コンピュータ可読プログラムが実行されると、請求項１から１２のいずれか一項に記載されている方法をコンピュータが前記通信装置内で実施することを可能にするコンピュータ可読プログラム。
【請求項２２】
請求項１から１２のいずれか一項に記載されている方法をコンピュータが前記通信装置内で実施することを可能にするコンピュータ可読プログラムが記憶される記憶媒体。
【発明の詳細な説明】
【技術分野】
【０００１】
本出願は通信技術に関し、詳細には色制御方法および通信装置に関する。
【背景技術】
【０００２】
スマートフォン産業では、表示画像の品質はますます重要になっている。スマートフォンは、エンドユーザによって任意の時間に、任意の場所で持ち運ばれるため、様々な周辺光条件の下での表示画像の品質は、デバイスを差別化するための1つのキーポイントである。
【０００３】
旧式の移動電話あるいは安価な移動電話は、通常、周辺光条件の差を検出するための方法を全く有していない。この場合、デバイスは、あらゆる可能条件をカバーすることが意図された一組のディスプレイ調整パラメータしか有していない。画像品質を改善するための方法は、最悪条件に対して最適化されたパラメータを調整することである。
【０００４】
しかしながら、この最適化方法は、他の条件における画像品質の低下、電力消費の増加、雑音放出の増加、等々、好ましくない副作用の原因になっている。
【０００５】
指摘した問題を解決するために、近頃では多くのスマートフォンが表示輝度を自動的に制御する能力を有している。例えば基本原理は、最初に周辺輝度(科学用語では照度)を検出し、次に適切な表示輝度を計算し、その次に表示輝度を変更することである。
【０００６】
しかしながら本出願人は、従来技術は、色またはホワイトバランスを動的に制御することができない、という大きな問題を抱えており、そのためにいくつかの条件では表示画像の品質が依然として良くないことを見出した。
【発明の概要】
【発明が解決しようとする課題】
【０００７】
本発明の実施形態は、色制御方法および通信装置に関している。その目的は、表示画像の品質をより高い程度まで改善することである。
【課題を解決するための手段】
【０００８】
本発明の実施形態の一態様によれば、通信装置のディスプレイのために適用される色制御方法が提供され、この色制御方法は、
周辺光の色温度情報を得るステップと、
色温度情報に基づいて適切な色パラメータを計算するステップと、
適切な色パラメータに従って通信装置のディスプレイを調整するステップと
を含む。
【０００９】
本発明の実施形態の他の態様によれば、周辺光の色温度情報を得るステップは、詳細には、
通信装置のカメラによって周辺光の色温度情報を得るステップ
である。
【００１０】
本発明の実施形態の他の態様によれば、周辺光の色温度情報を得るステップは、詳細には、
カメラのAWB(自動ホワイトバランス)機能によって周辺光の色温度情報を得るステップ
である。
【００１１】
本発明の実施形態の他の態様によれば、周辺光の色温度情報を得るステップは、詳細には、
カメラのISP(画像信号プロセッサ)によって周辺光の色温度情報を得るステップ
である。
【００１２】
本発明の実施形態の他の態様によれば、色温度情報に基づいて適切な色パラメータを計算するステップは、詳細には、
色温度情報に従って定義済みの表を探索することによって適切な色パラメータを決定するステップであって、定義済みの表が色温度情報を対応する色パラメータにマッピングするように構成されるステップ
を含む。
【００１３】
本発明の実施形態の他の態様によれば、色制御方法は、
周辺光の輝度情報を得るステップと、
輝度情報に基づいて適切な輝度パラメータを計算するステップと
をさらに含み、
適切な色パラメータに従って通信装置のディスプレイを調整するステップは、詳細には、適切な色パラメータおよび適切な輝度パラメータに従って通信装置のディスプレイを調整するステップを含む。
【００１４】
本発明の実施形態の他の態様によれば、周辺光の輝度情報を得るステップは、詳細には、
通信装置の周辺光センサによって周辺光の輝度情報を得るステップ
である。
【００１５】
本発明の実施形態の他の態様によれば、周辺光の輝度情報を得るステップは、詳細には、
通信装置のカメラによって周辺光の輝度情報を得るステップ
である。
【００１６】
本発明の実施形態の他の態様によれば、周辺光の輝度情報を得るステップは、詳細には、
カメラのAE(自動露出)機能によって周辺光の輝度情報を得るステップ
である。
【００１７】
本発明の実施形態の他の態様によれば、周辺光の輝度情報を得るステップは、詳細には、
カメラのISP(画像信号プロセッサ)によって周辺光の輝度情報を得るステップ
である。
【００１８】
本発明の実施形態の他の態様によれば、通信装置が提供され、通信装置は、
周辺光の色温度情報を得るように構成された第1の獲得デバイスと、
色温度情報に基づいて適切な色パラメータを計算するように構成されたプロセッサと、
適切な色パラメータに従って通信装置のディスプレイを調整するように構成されたディスプレイデバイスと
を含む。
【００１９】
本発明の実施形態の他の態様によれば、第1の獲得デバイスはカメラである。
【００２０】
本発明の実施形態の他の態様によれば、カメラのAWB(自動ホワイトバランス)機能は、色温度情報を得るように構成される。
【００２１】
本発明の実施形態の他の態様によれば、カメラのISP(画像信号プロセッサ)は、色温度情報を得るように構成される。
【００２２】
本発明の実施形態の他の態様によれば、通信装置は、
定義済みの表を記憶するように構成されたメモリであって、定義済みの表が、色温度情報を対応する色パラメータにマッピングするように構成されるメモリをさらに備えており、
プロセッサは、詳細には、色温度情報に従って定義済みの表を探索することによって適切な色パラメータを決定するように構成される。
【００２３】
本発明の実施形態の他の態様によれば、通信装置は、
周辺光の輝度情報を得るように構成された第2の獲得デバイス
をさらに備えており、
プロセッサは、輝度情報に基づいて適切な輝度パラメータを計算するようにさらに構成され、また、ディスプレイデバイスは、適切な色パラメータおよび適切な輝度パラメータに従って通信装置のディスプレイを調整するようにさらに構成される。
【００２４】
本発明の実施形態の他の態様によれば、第2の獲得デバイスは周辺光センサである。
【００２５】
本発明の実施形態の他の態様によれば、第2の獲得デバイスはカメラである。
【００２６】
本発明の実施形態の他の態様によれば、カメラのAE(自動露出)機能は、輝度情報を得るように構成される。
【００２７】
本発明の実施形態の他の態様によれば、カメラのISP(画像信号プロセッサ)は、輝度情報を得るように構成される。
【００２８】
本発明の実施形態の他の態様によれば、コンピュータ可読プログラムが提供され、通信装置内でこのプログラムが実行されると、コンピュータは、このプログラムによって色制御方法を実施することができる。
【００２９】
本発明の実施形態の他の態様によれば、コンピュータ可読プログラムが記憶される記憶媒体が提供され、コンピュータは、このコンピュータ可読プログラムによって色制御方法を実施することができる。
【００３０】
本発明の利点は、周辺光の色温度情報を獲得し、適切な色パラメータを計算し、かつ、通信装置のディスプレイを調整することにより、表示画像の品質がより高い程度まで改善されることにある。
【００３１】
本発明のこれらおよび他の態様ならびに特徴は、以下の説明および添付の図面を参照することによって明らかになるであろう。以下の説明および図面には、本発明の特定の実施形態が詳細に開示されており、本発明の原理を使用することができるいくつかの方法が示されているが、本発明の範囲はそれらに限定されないことを理解されたい。そうではなく、本発明は、特許請求の範囲の精神および範囲の範疇であるあらゆる変更、修正および等価物を含む。
【００３２】
ある実施形態に関して説明および/または図解されている特徴は、同じ方法または同様の方法で1つまたは複数の他の実施形態に使用することができ、および/または他の実施形態の特徴と組み合わせて、あるいは他の実施形態の特徴の代わりに使用することができる。
【００３３】
本明細書に使用されている「備える/備えている」という用語は、言及されている特徴、整数、ステップまたは構成要素の存在を特定しているが、1つまたは複数の他の特徴、整数、ステップ、構成要素またはそれらのグループの存在あるいは追加が排除されるものではないことを強調しておく。
【００３４】
本発明の多くの態様は、以下の図面を参照することによってより深く理解することができる。図面中の構成要素は、必ずしもスケール通りではなく、本発明の原理を明確に示すために強調されている。図解および説明を容易にするために、図面に示されている部分に対応する本発明のいくつかの部分は、場合によってはその大きさが誇張されており、例えば一例示的デバイスでは、他の部分に対して、本発明に従って実際に製造される大きさよりも大きく描かれている。ある図面に描かれている要素および特徴、すなわち本発明の実施形態は、1つまたは複数の追加図面に描かれている要素および特徴、すなわち実施形態と組み合わせることができる。さらに、図面中の同様の参照番号は、いくつかの図を通して対応する部分を示しており、複数の実施形態における同様あるいは類似の部分を示すために使用されている。
【００３５】
添付の図面は、本発明についてのより深い理解を提供するために含まれており、これらの図面は、本明細書の一部を構成し、かつ、本発明の好ましい実施形態を示しており、これらの図面は、本発明の原理を示すために以下の説明と相俟って使用されている。同じ要素は、すべての図面を通して同じ参照番号で表されている。
【図面の簡単な説明】
【００３６】
【図１】従来技術における通信装置のブロック図である。
【図２】本発明の一実施形態の方法の流れ図である。
【図３】定義済みの表の一例を示す図である。
【図４】本発明の一実施形態の方法の他の流れ図である。
【図５】他の定義済みの表の一例を示す図である。
【図６】本発明の一実施形態の通信装置の概略図である。
【図７】本発明の他の実施形態の通信装置の概略図である。
【図８】本発明の他の実施形態の通信装置の概略図である。
【発明を実施するための形態】
【００３７】
実施形態の多くの特徴および利点は、詳細な明細書から明らかであり、したがって特許請求の範囲には、本発明の真の精神および範囲の範疇である実施形態のすべてのこのような特徴および利点を包含することが意図されている。さらに、当業者には多くの修正および変更が容易に思い浮ぶことと思われるため、本発明の実施形態を、図解され、かつ、説明されている厳密な構造および動作に限定することは望ましくなく、したがってすべての適切な修正および等価物は、本発明の範囲に属するものとする。
【００３８】
以下、本発明の好ましい実施形態について、図面を参照して説明する。
【００３９】
図1は、従来技術における通信装置のブロック図であり、図1に示されているように、ALS(周辺光センサ)、プロセッサおよびディスプレイデバイスが存在している。周辺光センサは、周辺光の輝度を検出するために使用される。
【００４０】
異なる周辺条件は異なる輝度を有している。例えば日中の日光は100,000lxを超え、曇った日光は30,000lx程度であり、蛍光灯のオフィスは500〜1,000lxであり、蝋燭の光の小さい部屋は20lx未満、等々である。周辺光センサはそれらを検出する。
【００４１】
図1に示されているように、検出された周辺輝度は、適切な表示輝度を計算するためにプロセッサによって使用される。最も一般的な実施態様では、プロセッサは、周辺輝度を適切な表示輝度にマッピングする定義済みの表を有している。次に、計算された表示輝度がそれに応じてディスプレイに設定される。
【００４２】
ユーザが明るい日光の下でスマートフォンを持ち運んでいる場合、表示輝度は、従来技術によれば、表示画像品質のコントラストを大きくするために最大輝度として設定される。スマートフォンが暗い条件に置かれると、スマートフォンは、検出された周辺輝度に基づいて表示輝度をより小さい値として制御することができる。このように制御することにより、電力消費の低減を促進することも可能である。
【００４３】
しかしながら、従来技術は、色またはホワイトバランスを動的に制御することができない、という大きな問題を抱えている。
【００４４】
実施形態1
本発明のこの実施形態によれば、通信装置のディスプレイのために適用される色制御方法が提供される。
【００４５】
図2は、本発明の一実施形態の方法の流れ図である。図2に示されているように、この方法は、
ステップ201、通信装置が周辺光の色温度情報を得る
ステップ202、通信装置が色温度情報に基づいて適切な色パラメータを計算する
ステップ203、通信装置が適切な色パラメータに従って通信装置のディスプレイを調整する
を含む。
【００４６】
この実施形態では、通信装置は移動装置であってもよい。例えば通信装置はスマートフォンであってもよい。しかしながら通信装置はスマートフォンに限定されず、実際の必要に応じて特定のデバイスを決定することができる。
【００４７】
この実施形態では、色を周辺光条件に対して最適化することができる。すべての周辺光は異なる色温度を有している。例えば晴れた明るい空は12,000Kを有しており、曇りは6,500Kであり、日中の平均日光は5,500Kであり、夕日の光は2,000Kであり、蛍光灯の光は5,000〜6,500Kであり、白熱電球の光は3,000K、蝋燭の光は2,000K、等々である。
【００４８】
ところで、人間の眼のシステムは、周辺色に対する色感度を制御する能力を有している。この能力は色順応と呼ばれている。例えば眼の赤色感度は、弱い色温度光(これは、通常、白熱電球または夕日のように赤みがかった光である)の下では低下する。この機構のため、白い色は、低い色温度光の下では若干青みを帯びて見える。ディスプレイのホワイトバランスをもう少し赤みがかるように変化させることができると、ユーザは、より自然な色再現をディスプレイ上で見ることができる(白は以前よりももっと白く見える)。色温度が高すぎる場合にも同じストーリを適用することができる。しかしながら従来技術はこの特徴を有していない。
【００４９】
この実施形態では、カメラを使用して周辺光の色温度情報を得ることができる。カメラは、写真を撮るまたはビデオクリップを記録するために一般的に使用される普通のカメラであってもよい。
【００５０】
通常、スマートフォンはカメラを有しており、また、ほとんどのフィーチャフォンも同じくカメラを有している。いくつかの最新の電話は2つのカメラを有することができる。この場合、本発明の目的のためには「フロントカメラ」(ディスプレイと同じ側に位置しているカメラ)を使用することがより有利である。
【００５１】
この実施形態では、ステップ202はプロセッサによって実施することができ、プロセッサは、オペレーティングシステムを走らせ、かつ、カメラおよびディスプレイを制御するメインプロセッサであってもよい。
【００５２】
この実施形態では、ステップ203はディスプレイデバイスによって実施することができ、ディスプレイデバイスは、ユーザに視覚データを示す構成要素であってもよい。通常、LCD(液晶ディスプレイ)技術またはOLED(有機発光ダイオード)技術を使用して通信デバイスのためのディスプレイが実現される。
【００５３】
あるシナリオでは、カメラのAWB(自動ホワイトバランス)機能を使用して色温度情報を得ることができる。移動カメラは、周辺光の色温度を知覚し、かつ、写真のために自動的にホワイトバランスを補正するAWB機能を有している。プロセッサは、カメラから周辺光の色温度情報を読み取ることができる。
【００５４】
他のシナリオでは、カメラのISP(画像信号プロセッサ)を使用して色温度情報を得ることができる。ISPはカメラシステムの一部であり、プロセッサは、このISPから周辺光の色温度情報を読み取ることができる。
【００５５】
この実施形態では、周辺色温度の実際のデータ構造は、実施態様に応じて様々であるが、ほとんどの場合、このデータ構造はいくつかの定義済みの光源名称を有している。例えば、昼光、曇り、白熱、蛍光、等々である。
【００５６】
実施に際しては、定義済みの表は通信装置に含めることができ、この定義済みの表は、色温度情報を適切な色パラメータにマッピングし、また、ステップ202は、詳細には、この定義済みの表に基づいて適切な色パラメータを決定するステップを含むことができる。
【００５７】
図3は、定義済みの表の一例である。図3に示されているように、定義済みの表は、周辺色温度をディスプレイホワイトバランス設定にマッピングする。通常、ホワイトバランス設定は、一組のパラメータであるか、あるいはレジスタ設定である。定義済みの表は、移動電話の製品開発においても同じく設計される。
【００５８】
カメラからの入力に基づいてディスプレイのための適切なWB(ホワイトバランス)設定が決定されると、プロセッサは、新しいパラメータをディスプレイに設定することによってディスプレイWBを変更する。
【００５９】
上記実施形態から、周辺光の色温度情報を獲得し、適切な色パラメータを計算し、かつ、通信装置のディスプレイを調整することにより、表示画像の品質がより高い程度まで改善されることが分かる。さらに、通信装置は、ディスプレイのWBを動的に変更することも可能であり、また、色を周辺光条件に対して自動的に最適化する方法を提供することができる。
【００６０】
実施形態2
実施形態1に基づいて、本発明のこの実施形態によれば、さらに、通信装置のディスプレイのために適用される色制御方法が提供される。同じ内容については説明を省略する。
【００６１】
図4は、本発明の一実施形態の方法の他の流れ図である。図4に示されているように、この方法は、
ステップ401、通信装置が周辺光の色温度情報を得る
ステップ402、通信装置が色温度情報に基づいて適切な色パラメータを計算する
ステップ403、通信装置が周辺光の輝度情報を得る
ステップ404、通信装置が輝度情報に基づいて適切な輝度パラメータを計算する
ステップ405、通信装置が適切な色パラメータおよび適切な輝度パラメータに従って通信装置のディスプレイを調整する
を含む。
【００６２】
この実施形態では、ステップ401でカメラを使用して周辺光の色温度情報を得ることができ、また、ステップ402はプロセッサによって実施することができる。
【００６３】
あるシナリオでは、ステップ403で周辺光センサを使用して周辺光の輝度情報を得ることができ、また、ステップ404はプロセッサによって実施することができる。
【００６４】
このシナリオでは、通信装置は、カメラ、周辺光センサ、プロセッサおよびディスプレイデバイスを備えることができる。周辺光センサは、周辺光の輝度を検出するセンサデバイスである。周辺光センサの出力値は、通常、周辺輝度に対応している。
【００６５】
実施形態1に加えて、このシナリオは、周辺光条件に対する表示画像品質のより最適化された制御を有することができる。人間の視覚に対してなされた多くの研究により、周辺輝度がより大きい場合、暗い輝度条件の場合より少し高い色温度を有することがより有利であることが分かっている。この問題を解決するために、このシナリオは、周辺光センサからの周辺輝度情報を使用して、ディスプレイの最適WBおよび輝度を決定する。
【００６６】
このシナリオでは、通信装置は、周辺光センサから得られる輝度情報を使用することによってさらに良好な表示品質最適化を達成することができる。
【００６７】
他のシナリオでは、ステップ403でカメラを使用して周辺光の輝度情報が取得され、また、ステップ404はプロセッサによって実施することができる。ステップ401のこのカメラとステップ403のカメラは同じカメラであってもよい。
【００６８】
このシナリオでは、通信装置は、カメラ、プロセッサおよびディスプレイデバイスを備えることができる。この場合、色温度だけでなく、輝度情報もカメラから得ることができる。
【００６９】
このシナリオでは、カメラのAE(自動露出)機能を使用して輝度情報を得ることができ、あるいはカメラのISP(画像信号プロセッサ)を使用して輝度情報を得ることができる。しかしながらそれには限定されず、実際の必要に応じて特定の方法を決定することができる。
【００７０】
移動カメラは、写真のための露出を自動的に制御するAE(自動露出)機能を有している。提案する露出値を決定するために、カメラシステムは最初に周辺輝度を解析する。プロセッサは、カメラまたはISPから周辺光の輝度情報を読み取ることができる。
【００７１】
このシナリオでは、周辺輝度を得るために周辺光センサを使用する必要はない。通信装置は、余分の構成要素である周辺光センサを導入することなく、同様のレベルの表示画像品質を達成することができる。
【００７２】
この実施形態では、周辺輝度の実際のデータ構造は、実施態様に応じて様々であるが、ほとんどの場合、このデータ構造はいくつかの定義済みの露出値を有している。
【００７３】
実施に際しては、他の定義済みの表を通信装置に含めることができる。図5は、他の定義済みの表の一例を示したものである。図5に示されているように、WB_xxは、WB設定のためのパラメータセットを示しており、BR_xxは、ディスプレイのための輝度設定のパラメータセットを示している。
【００７４】
WB設定の場合、周辺色温度が3,000Kのように低いと、WB設定は、すべての周辺輝度条件に対して共通のパラメータセットWB_Aを使用することができる。しかしながら、周辺色温度が6,500Kのように高い場合、異なる周辺輝度に対して異なるパラメータを有することがより有利である。中間周辺色温度は、パラメータの中間最適化を有することができる。
【００７５】
上記実施形態から、周辺光の色温度情報を獲得し、適切な色パラメータを計算し、かつ、通信装置のディスプレイを調整することにより、表示画像の品質がより高い程度まで改善されることが分かる。さらに、通信装置は、ディスプレイのWBを動的に変更することも可能であり、また、色を周辺光条件に対して自動的に最適化する方法を提供することができる。
【００７６】
実施形態3
本発明のこの実施形態によれば、通信装置がさらに提供される。この実施形態は、上記実施形態1の方法に対応しており、同じ内容については説明を省略する。
【００７７】
図6は、本発明の一実施形態の通信装置の概略図である。この通信装置の他の部分については既存の技術を参照することができ、したがって本出願では説明は省略する。
【００７８】
図6に示されているように、通信装置600は、第1の獲得デバイス601、プロセッサ602およびディスプレイデバイス603を含む。
【００７９】
第1の獲得デバイス601は、周辺光の色温度情報を得るために使用され、プロセッサ602は、色温度情報に基づいて適切な色パラメータを計算するために使用され、ディスプレイデバイス603は、適切な色パラメータに従って通信装置のディスプレイを調整するために使用される。
【００８０】
この実施形態では、第1の獲得デバイス601はカメラであってもよく、このカメラを使用して周辺光の色温度情報が獲得される。
【００８１】
一実施方法では、カメラのAWB(自動ホワイトバランス)機能を使用して色温度情報を得ることができる。他の実施方法では、カメラのISP(画像信号プロセッサ)を使用して色温度情報を得ることができる。しかしながらそれには限定されず、実際の必要に応じて特定の方法を決定することができる。
【００８２】
この実施形態では、色温度情報を適切な色パラメータにマッピングする定義済みの表は、通信装置に含めることができ、プロセッサ602は、詳細には、この定義済みの表に基づいて適切な色パラメータを決定するために使用される。
【００８３】
上記実施形態から、周辺光の色温度情報を獲得し、適切な色パラメータを計算し、かつ、通信装置のディスプレイを調整することにより、表示画像の品質がより高い程度まで改善されることが分かる。さらに、通信装置は、ディスプレイのWBを動的に変更することも可能であり、また、色を周辺光条件に対して自動的に最適化する方法を提供することができる。
【００８４】
実施形態4
本発明のこの実施形態によれば、通信装置がさらに提供される。この実施形態は、上記実施形態2の方法に対応しており、同じ内容については説明を省略する。
【００８５】
図7は、本発明の他の実施形態の通信装置の概略図である。この通信装置の他の部分については既存の技術を参照することができ、したがって本出願では説明は省略する。
【００８６】
図7に示されているように、通信装置700は、実施形態3で説明したように第1の獲得デバイス601、プロセッサ602およびディスプレイデバイス603を含む。
【００８７】
図7に示されているように、通信装置は、第2の獲得デバイス704をさらに含み、この第2の獲得デバイス704は、周辺光の輝度情報を得るために使用される。
【００８８】
さらに、プロセッサ602は、輝度情報に基づいて適切な輝度パラメータを計算するためにさらに使用され、また、ディスプレイデバイス603は、適切な色パラメータおよび適切な輝度パラメータに従って通信装置のディスプレイを調整するためにさらに使用される。
【００８９】
一実施方法では、第2の獲得デバイス704は周辺光センサであってもよく、この周辺光センサを使用して周辺光の輝度情報が獲得される。
【００９０】
この場合、通信装置は、カメラ、周辺光センサ、プロセッサおよびディスプレイデバイスを備えることができる。通信装置は、周辺光センサから得られる輝度情報を使用することによってさらに良好な表示品質最適化を達成することができる。
【００９１】
他の実施方法では、第2の獲得デバイス704はカメラであってもよく、このカメラを使用して周辺光の輝度情報が獲得される。
【００９２】
実施に際しては、第1の獲得デバイス601および第2の獲得デバイス704の機能はカメラによって実現される。通信装置は、カメラ、プロセッサおよびディスプレイデバイスを備えることができる。
【００９３】
図8は、本発明の一実施形態の通信装置の他の概略図である。図8に示されているように、通信装置800は、カメラ801、プロセッサ802およびディスプレイデバイス803を含む。
【００９４】
この実施形態では、カメラ801のAE(自動露出)機能を使用して輝度情報を得ることができる。あるいはカメラ801のISP(画像信号プロセッサ)を使用して輝度情報を得ることができる。しかしながらそれには限定されず、実際の必要に応じて特定の方法を決定することができる。
【００９５】
この場合、色温度だけでなく、輝度情報もカメラから得ることができる。通信装置は、余分の構成要素である周辺光センサを導入することなく、同様のレベルの表示画像品質を達成することができる。
【００９６】
上記実施形態から、周辺光の色温度情報を獲得し、適切な色パラメータを計算し、かつ、通信装置のディスプレイを調整することにより、表示画像の品質がより高い程度まで改善されることが分かる。さらに、通信装置は、ディスプレイのWBを動的に変更することも可能であり、また、色を周辺光条件に対して自動的に最適化する方法を提供することができる。
【００９７】
本発明の実施形態によれば、さらにコンピュータ可読プログラムが提供され、通信装置内でこのプログラムが実行されると、コンピュータは、このプログラムによって色制御方法を実施することができる。
【００９８】
本発明の実施形態によれば、さらに、コンピュータ可読プログラムが記憶される記憶媒体が提供され、コンピュータは、このコンピュータ可読プログラムによって色制御方法を実施することができる。
【００９９】
本発明の個々の部分は、ハードウェア、ソフトウェア、ファームウェアまたはそれらの組合せによって実施することができることを理解されたい。上記実施形態では、メモリに記憶されている、適切な命令実行システムによって実行されるソフトウェアまたはファームウェアによって複数のステップまたは方法を実現することができる。例えばハードウェアによって実現される場合、他の実施形態の場合と同様、データ信号の論理機能を実現するための論理ゲート回路を有する離散論理回路、適切な組合せの論理ゲート回路を有する特定用途向け集積回路、プログラマブルゲートアレイ(PGA)および書換え可能ゲートアレイ(FPGA)、等々などの当分野で知られている技術のうちの任意の技術またはそれらの組合せによって実現することができる。
【０１００】
流れ図の説明またはブロック、あるいは任意のプロセスまたは方法の説明またはブロックは、別の意味では、特定の論理機能またはプロセスにおけるステップの実行可能命令のコードを実現するための1つまたは複数のモジュール、セグメントまたは部分を備えていることを示すものとして理解することができ、また、本発明の好ましい実施形態の範囲は他の実施態様を包含する。機能は、図に示され、あるいは説明されている方法とは異なる方法で実行することができ、例えば、本発明に関連する当業者には理解されるように、関連する機能に応じてこれらの機能を実質的に同時に実行し、あるいは逆の順序で実行することができる。
【０１０１】
流れ図に示され、あるいは説明されている論理および/またはステップは、別の意味では、ここでは、例えば任意のコンピュータ可読記憶媒体の中で実施することができる論理機能を実現するための実行可能命令の連続リストとして、または命令実行システム、デバイスまたは装置(コンピュータを含んだシステム、プロセッサを含んだシステム、あるいは命令実行システム、デバイスまたは装置から命令を抽出し、かつ、抽出した命令を実行することができる他のシステムなど)が使用するための実行可能命令の連続リストとして、あるいは命令実行システム、デバイスまたは装置と組み合わせて使用するための実行可能命令の連続リストとして理解することができる。
【０１０２】
上記文字による説明および図面は、本発明の様々な特徴を示している。当業者は、上で説明し、かつ、図面に示したステップおよびプロセスの各々を実施するための適切なコンピュータコードを準備することができることを理解されたい。さらに、すべての端末、コンピュータ、サーバおよびネットワークは任意のタイプであってもよく、また、コンピュータコードは、本開示に従って準備することができ、それにより装置を使用して本発明を実施することができることを同じく理解されたい。
【０１０３】
以上、本明細書において、本発明の特定の実施形態を開示した。本発明は他の環境に適用することができることは当業者には容易に認識されよう。実際、多くの実施形態および実装形態が存在している。添付された特許請求の範囲には、本発明の範囲を上記特定の実施形態に限定することは一切意図されていない。さらに、「ためのデバイス」という参照は、すべて、要素および特許請求の範囲を説明するためのデバイス+機能を説明しており、「ためのデバイス」の参照を使用していない何らかの要素は、「デバイス」という語がその特許請求の範囲に含まれている場合であっても、デバイス+機能の要素として理解することは望ましくない。
【０１０４】
以上、特定の好ましい実施形態または複数の実施形態について図に示し、かつ、本発明について説明したが、説明および図面を読み、かつ、理解すれば、当業者には等価変更態様および変形形態が想像可能であることは明らかである。特に、上記要素(部分、アセンブリ、装置および構成、等々)によって実行される様々な機能の場合、特記なき場合は、これらの要素を説明している用語(「デバイス」の参照を含む)は、その要素が、構造に対して、本発明で図解されている一例示的実施形態または複数の実施形態の機能を実行する要素とは異なっている場合であっても、これらの要素の特定の機能を実行する何らかの要素に対応していることが望ましい(すなわち機能的等価物)。さらに、本発明の特定の特徴は、図解されている複数の実施形態のうちの1つまたは複数に対してのみ説明されているが、このような特徴は、必要に応じて、また、任意の所与のアプリケーションまたは特定のアプリケーションの有利な態様を考慮して、他の実施形態の1つまたは複数の特徴と組み合わせることができる。
【符号の説明】
【０１０５】
600、700、800  通信装置
601  第1の獲得デバイス
602  プロセッサ
603  ディスプレイデバイス
704  第2の獲得デバイス
801  カメラ
802  プロセッサ
803  ディスプレイデバイス
【図１】
0005958538.tif 000002
【図２】
0005958538.tif 000003
【図３】
0005958538.tif 000004
【図４】
0005958538.tif 000005
【図５】
0005958538.tif 000006
【図６】
0005958538.tif 000007
【図７】
0005958538.tif 000008
【図８】
0005958538.tif 000009